(57)【要約】【課題】カウンタを支持するために別途脚を設けることなく、構造およびデザインの自由度を向上させ、十分に開放感を得るとともに、システムキッチンをすっきりしたシンプルなデザインにさせる。【解決手段】キッチンに対して給排水を行うための流路、キッチンに電気を供給するための電気系統、キッチンにガスを供給するためのガス系統、キッチンの空気を排気するための排気路、の中から選ばれる一種以上を有するとともに、床上に直接自立したキッチン用機能部材３０，４０と、キッチンに対して給排水を行うための流路に接続される水廻り用の機器と、キッチンに電気を供給するための電気系統またはキッチンにガスを供給するためのガス系統に接続される加熱調理用の機器と、の少なくとも一方が組み込まれて水平に保持されるとともに、下方にて水平方向に開放された空間が形成された状態でキッチン用機能部材のみにより支持されたカウンタ１０とを設けた。【選択図】図１
2006223644.tif 000002
【特許請求の範囲】
【請求項１】
給排水を行うための流路、電気を供給するための電気系統、ガスを供給するためのガス系統、および、排気するための排気路、の中から選ばれる一種以上を収容するとともに、床上に直接自立したキッチン用機能部材と、
上記流路に接続される水廻り用の機器と、上記電気系統または上記ガス系統に接続される加熱調理用の機器と、の少なくとも一方が組み込まれて水平に保持されるとともに、下方にて水平方向に開放された空間が形成された状態で上記キッチン用機能部材のみにより支持されたカウンタとを備えることを特徴とするシステムキッチン。
【請求項２】
上記キッチン用機能部材には、それぞれ床上に直接自立して上記カウンタにおける相対向する縁部を支持する第一および第二の機能部材が含まれ、
上記流路、上記電気系統、上記ガス系統、および、上記排気路、の中から選ばれる一種以上を収容するとともに、上記第一および第二の機能部材の間に取り付けられて当該第一および第二の機能部材を互いに固定する第三の機能部材が設けられていることを特徴とする請求項１に記載のシステムキッチン。
【請求項３】
上記第三の機能部材は、外形がポール状に形成されるとともに、両端がそれぞれ上記第一および第二の機能部材の上端に取り付けられて上記カウンタの上方で水平に保持されていることを特徴とする請求項３に記載のシステムキッチン。
【請求項４】
上記キッチン用機能部材および上記第三の機能部材には、上記電気系統が少なくとも設けられ、
上記第三の機能部材は、上記第一の機能部材と上記第二の機能部材とに支持されて上記カウンタの上方で水平に保持され、
上記第三の機能部材の下面に取り付けられるとともに当該第三の機能部材に設けられた電気系統から電気が供給されて上記カウンタ上を照らす照明機器が設けられていることを特徴とする請求項２または請求項３に記載のシステムキッチン。
【請求項５】
上記キッチン用機能部材は、外形が壁状に形成されて床上に直立するとともに、周囲に上記カウンタを取り付けて支持することを特徴とする請求項１に記載のシステムキッチン。
【請求項６】
上記キッチン用機能部材に上記カウンタを引き抜き可能に挿入して取り付け可能な保持部が形成されるとともに、当該保持部に、形状の異なる複数のカウンタが選択的に挿入されて取り付けられることを特徴とする請求項１〜請求項５のいずれかに記載のシステムキッチン。
【請求項７】
上記キッチン用機能部材は、それぞれ棚状に形成されて床上に直接自立して上記カウンタにおける相対向する縁部を支持する第一および第二の棚状部材が含まれ、
上記第一および第二の棚状部材の間に取り付けられて当該第一および第二の棚状部材を互いに固定する連結部材が設けられていることを特徴とする請求項１に記載のシステムキッチン。
【発明の詳細な説明】
【技術分野】
【０００１】
本発明は、水廻り用機器や加熱調理用機器を備えるシステムキッチンに関する。
【背景技術】
【０００２】
従来、底板、側板、背板等を組み合わせたキャビネット上にカウンタを載置し、このカウンタに水廻り用機器や加熱調理用機器を組み込んで（ビルトインして）、システムキッチンを構成している。ここで、外観を向上させるため、キャビネット内に、給水用の配管、排水トラップ、電気ケーブル、ガス管、等を収容している。
【０００３】
また、特許文献１に記載されるように、ユニット器具収納体の円柱状本体に対して付属体を介して収納枠体が連結されるとともに、料理を作るカウンタと補助の電磁調理器とを有して一体の回転リングを円柱状本体の上部に嵌めることにより円柱状本体に対して移動自在即ち３６０°回転自在に配置された移動体を備えるシステム家具が知られている。ここで、移動体は、滑らかな回転が行われるように先端側壁の下部に一対のキャスタが脚として設けられている。また、収納枠体は、先端が一対の脚により支持されている。
また、特許文献２に記載されるように、収納部ユニット上に、流し台ユニットと、調理台ユニットと、レンジ台ユニットとを設けた台所キャビネットが知られている。
【特許文献１】特開平５−２８５０１８号公報
【特許文献２】実開平５−７２２３６号公報
【発明の開示】
【発明が解決しようとする課題】
【０００４】
しかしながら、キャビネット内に、給水用の配管等を収容したシステムキッチンでは、カウンタの下に位置するキャビネットによって配管等を隠しているため、キッチンルームの開放感が最大限に得られているとはいえなかった。また、キャビネット構造であるため、システムキッチンの構造の自由度という点においても十分ではなかった。
【０００５】
また、特許文献１記載の技術においても、カウンタを支持するためにキャスタ付き先端側壁が脚として設けられ、また、収納枠体を支持するためにも一対の脚が設けられているため、すっきりしたシンプルなシステムキッチンとはいい難く、更に、特許文献２記載の技術では、収納部ユニット上に各種機能機器を載置しているため、キッチンルームの開放感や機能機器の配置の自由度という点で問題があった。そのため、構造およびデザインの自由度を向上させ、しかも、十分な開放感を備えたすっきりしたシンプルなデザインのシステムキッチンが望まれていた。
【０００６】
本発明は、上記課題にかんがみてなされたもので、カウンタを支持するために別途脚を設けることなく、構造およびデザインの自由度を向上させ、十分に開放感を得るとともに、システムキッチンをすっきりしたシンプルなデザインにさせることを目的とする。
【課題を解決するための手段】
【０００７】
上記目的を達成するため、本発明のシステムキッチンは、給排水を行うための流路、電気を供給するための電気系統、ガスを供給するためのガス系統、および、排気するための排気路、の中から選ばれる一種以上を収容するとともに、床上に直接自立したキッチン用機能部材と、上記流路に接続される水廻り用の機器と、上記電気系統または上記ガス系統に接続される加熱調理用の機器と、の少なくとも一方が組み込まれて水平に保持されるとともに、下方にて水平方向に開放された空間が形成された状態で上記キッチン用機能部材のみにより支持されたカウンタとを備えることを特徴とする。
従って、給排水用の流路、電気系統、ガス系統、排気路がキッチン用機能部材に収容されるので、カウンタの下を水平方向に開放させることができ、構造およびデザインの自由度を向上させ、十分に開放感を得ることが可能となる。また、カウンタがキッチン用機能部材のみで支持されるので、カウンタを支持するために別途脚を設ける必要がなく、単に脚でカウンタを支持していた従来と比べ、システムキッチンをすっきりしたシンプルなデザインにさせることが可能となる。また、キャビネット構造でなくなるので、基本アイテムが少なくなる。
【０００８】
上記流路は、例えば、給排水用の配管、コネクタ、等が考えられる。上記電気系統は、例えば、電気ケーブル、コネクタ、スイッチ、信号線、等が考えられる。上記ガス系統は、例えば、ガスホース、コネクタ、ホース取付口、等が考えられる。上記排気路は、例えば、レンジフードから外気へ空気を導くための排気管、コネクタ、等が考えられる。
上記水廻り用の機器は、給水用の機器のみでもよいし、排水用の機器のみでもよい。上記加熱調理用の機器は、電磁調理器、電気調理器、ガス調理器、炭火焼き機器、これらの組み合わせ、等が考えられる。
上記水平方向に開放された空間は、例えば、前後方向に開放された空間、左右方向に開放された空間、等が考えられる。
【０００９】
上記キッチン用機能部材は、管状部材のようなポール状部材、パーティションのような壁状部材、棚状部材、等が考えられる。また、単一のキッチン用機能部材でカウンタを支持してもよいし、複数のキッチン用機能部材でカウンタを支持してもよい。
【００１０】
上記キッチン用機能部材には、それぞれ床上に直接自立して上記カウンタにおける相対向する縁部を支持する第一および第二の機能部材が含まれ、上記流路、上記電気系統、上記ガス系統、および、上記排気路、の中から選ばれる一種以上を収容するとともに、上記第一および第二の機能部材の間に取り付けられて当該第一および第二の機能部材を互いに固定する第三の機能部材が設けられている構成としてもよい。すると、より強固にカウンタが支持される。また、第一・第二の機能部材から第三の機能部材へ給排水用の流路、電気系統、ガス系統、排気路を延ばすことができる。
【００１１】
上記第三の機能部材は、外形がポール状に形成されるとともに、両端がそれぞれ上記第一および第二の機能部材の上端に取り付けられて上記カウンタの上方で水平に保持されている構成としてもよい。
ポール状には、例えば、細長い円筒形状、細長い断面四角形の筒形状、等、が考えられる。また、外形ポール状の第三の機能部材は、流路等を除いて中実に形成されてもよい。
なお、第一・第二（第一および第二）の機能部材もポール状に形成してもよい。
【００１２】
上記キッチン用機能部材および上記第三の機能部材には、上記電気系統が少なくとも設けられ、上記第三の機能部材は、上記第一の機能部材と上記第二の機能部材とに支持されて上記カウンタの上方で水平に保持され、上記第三の機能部材の下面に取り付けられるとともに当該第三の機能部材に設けられた電気系統から電気が供給されて上記カウンタ上を照らす照明機器が設けられている構成としてもよい。
【００１３】
上記キッチン用機能部材は、外形が壁状に形成されて床上に直立するとともに、周囲に上記カウンタを取り付けて支持する構成としてもよい。すると、壁状部材とされたキッチン用機能部材に給排水用の流路、電気系統、ガス系統、排気路を収容することができる。
【００１４】
上記キッチン用機能部材に上記カウンタを引き抜き可能に挿入して取り付け可能な保持部が形成されるとともに、当該保持部に、形状の異なる複数のカウンタが選択的に挿入されて取り付けられる構成としてもよい。すると、容易にシステムキッチンのデザインを変更することができる。
【００１５】
上記キッチン用機能部材は、それぞれ棚状に形成されて床上に直接自立して上記カウンタにおける相対向する縁部を支持する第一および第二の棚状部材が含まれ、上記第一および第二の棚状部材の間に取り付けられて当該第一および第二の棚状部材を互いに固定する連結部材が設けられている構成としてもよい。
【発明の効果】
【００１６】
以上説明したように、請求項１にかかる発明によれば、カウンタを支持するために別途脚を設けることなく、構造およびデザインの自由度を向上させ、十分に開放感を得るとともに、すっきりしたシンプルなデザインのシステムキッチンを提供することができる。また、基本アイテムが少なくなり、システムキッチンの生産性を向上させることが可能となる。
【００１７】
請求項２にかかる発明では、より強固にカウンタを支持することができるとともに、システムキッチンをさらにすっきりしたシンプルなデザインにさせることができる。
【００１８】
請求項３にかかる発明では、細長いポール状の第三の機能部材に給排水用の流路、電気系統、ガス系統、排気路が収容されるので、システムキッチンをさらにすっきりしたシンプルなデザインにさせることができる。
【００１９】
請求項４にかかる発明では、カウンタ上が照らされるので、調理等の際に利便性を向上させることができる。
【００２０】
請求項５にかかる発明では、壁状部材とされたキッチン用機能部材に給排水用の流路、電気系統、ガス系統、排気路が収容されるので、システムキッチンをすっきりしたシンプルなデザインにさせることができる。
請求項６にかかる発明では、容易にシステムキッチンのデザインを変えることができるので、利便性を向上させることができる。
請求項７にかかる発明では、より強固にカウンタを支持することができる。
【発明を実施するための最良の形態】
【００２１】
以下、下記の順序に従って本発明の実施形態を説明する。
（１）第一の実施形態：
（２）第二の実施形態：
（３）第三の実施形態：
（４）その他変形例：
【００２２】
（１）第一の実施形態：
図１は本発明の第一の実施形態にかかるシステムキッチン１００の外観を前面側から見て示す斜視図であり、図２は図１のＡ１−Ａ１の位置にてカウンタ１０、機能部材３０，４０，５０，６０、機器８２，８４を垂直断面にて断面視して示す図である。なお、図１に印した位置関係を基準として、上下前後左右の位置関係を説明する。本システムキッチン１００は、キッチンルームＫＩ１の中で、床ＦＬ１上に直接自立した第一の機能部材（キッチン用機能部材の一つ）３０および第二の機能部材（キッチン用機能部材の一つ）４０、水廻り用の機器２２と加熱調理用の機器２４とが組み込まれて水平に保持されるカウンタ１０、第一・第二の機能部材を互いに固定する第三の機能部材５０、この第三の機能部材とキッチンルームＫＩ１の壁ＷＡ１との間に取り付けられた排気路保有部材６０、第三の機能部材５０の下面に取り付けられた照明機器８２およびレンジフード８４、等を備えている。ここで、直接自立とは、倒れないように直立した状態を保つことをいう。本システムキッチンのカウンタ１０は、カウンタを支持する専用の脚を用いず、キッチン用機能部材３０，４０のみにより支持されている。
【００２３】
本発明の第一・第二の機能部材（キッチン用機能部材）は、キッチンに対して給排水を行うための流路（７２）、キッチンに電気を供給するための電気系統（７４）、キッチンにガスを供給するためのガス系統、および、排気するための排気路（７６）、の中から選ばれる一種以上を収容する。本実施形態では、電気ケーブル７４ａやコネクタ７４ｂ等からなる電気系統７４を左側の機能部材３０に収容し、配管等を組み合わせた給水流路７２ａおよび排水流路７２ｂからなる給排水流路７２を右側の機能部材４０に収容している。機器２２，２４が組み込まれたカウンタ１０は、下方にて（前後方向）水平方向に開放された空間ＳＰ１が形成された状態で、電気系統７４および給排水流路７２が収容された機能部材３０，４０のみにより支持されている。
【００２４】
カウンタ１０は、適宜開口部（１２ａ〜ｃ等）を有する平板状とされたカウンタ本体１２と、上記機器２２，２４を備えている。カウンタ本体のシンク用開口部１２ａは、下側にシンク２２ａを取り付けるために形成している。シンク用開口部１２ａの後側にある水栓用開口部１２ｂは、水栓２２ｂを取り付けて水道水を通過させるために形成している。シンク用開口部１２ａの左側にある加熱調理機器用開口部１２ｃは、加熱調理用機器２４を取り付けるために形成している。
【００２５】
水廻り用機器２２は、シンク２２ａや、水栓２２ｂを有している。シンク２２ａはカウンタ本体のシンク用開口部１２ａに取り付けられて固定され、水栓２２ｂはカウンタ本体の水栓用開口部１２ｂに取り付けられて固定される。水栓２２ｂは、右側機能部材４０に設けられた給水流路７２ａに接続され、当該給水流路から水道水の供給を受けて水道水を吐出可能である。シンク２２ａは、右側機能部材４０に設けられた排水流路７２ｂに排水装置等を介して接続され、当該排水流路へ排水可能である。このように、水廻り用機器２２は、キッチン用機能部材に設けられた給排水流路７２に接続されている。
【００２６】
加熱調理用機器２４は、上面に、電磁調理器（ＩＨ）とされた加熱調理器２４ａを複数有するとともに、これらの加熱調理器２４ａの電源オンオフや熱量を調整するための操作つまみ２４ｂを複数有している。加熱調理用機器２４は、カウンタ本体の加熱調理機器用開口部１２ｃに取り付けられて固定される。加熱調理用機器２４は、左側機能部材３０に設けられた電気系統７４に電源ケーブルにて接続され、当該電気系統から電気の供給を受けて、上側に載置される鍋等を発熱させる磁力線を生成する。
【００２７】
床上に直立する機能部材３０，４０は、下端部が前後方向に拡がった脚部３０ａ，４０ａとされ、当該脚部から上方へ上方突出部３０ｂ，４０ｂが突出している。脚部３０ａ，４０ａや上方突出部３０ｂ，４０ｂは、中空形状の部材の中に、電気系統７４や給排水流路７２を収容している。ここで、上方突出部３０ｂ，４０ｂは、外形がポール状に形成され、水平断面が略四角形の管状部材（ポール状部材）の内部に電気系統７４や給排水流路７２を収容した構造とされている。電気系統７４や給排水流路７２を覆う部材としては、金属板に塗装を施した部材を用いることができるが、合成樹脂を中心とした材質、等でもよい。
上方突出部３０ｂ，４０ｂには、上下方向の略中間部において相対向する位置に左右方向外側へ凹んだ形状の凹部３０ｄ，４０ｄが形成されている。当該凹部３０ｄ，４０ｄは、カウンタ１０の下部と床との間に所定の開放空間が形成されるように、カウンタ１０の下部が床から所定距離離される高さとされている。一方、カウンタ本体１２には、左右の縁部の略中間部において左右方向内側へ凹んだ形状の凹部１２ｄ，ｅが形成されている。カウンタ本体の左側凹部１２ｄと左側機能部材の凹部３０ｄとを嵌め合わせ、カウンタ本体の右側凹部１２ｅと右側機能部材の凹部４０ｄとを嵌め合わせると、機能部材３０，４０はそれぞれ倒れないように床上に直接自立してカウンタ１０における相対向する左右の縁部を支持する。すると、カウンタ１０は、下方にて水平方向に開放された空間ＳＰ１が形成されるように水平に保持される。
【００２８】
本発明の第三の機能部材は、給排水流路（７２）、電気系統（７４）、ガス系統、および、排気路（７６）、の中から選ばれる一種以上を収容し、第一・第二の機能部材の間に取り付けられて当該第一・第二の機能部材を互いに連結する。これにより、より強固にカウンタが支持されるし、第一・第二の機能部材から第三の機能部材へ給排水用の流路、電気系統、ガス系統、排気路を延ばすことができるので、システムキッチンを非常にすっきりしたシンプルなデザインにさせることができる。
本実施形態では、電気ケーブル７４ａやコネクタ７４ｂ等からなる電気系統７４と、配管等を組み合わせた排気路７６とを第三の機能部材５０に収容している。
【００２９】
第三の機能部材５０は、外形がポール状に形成されて左右方向に向けて配置され、両端部５０ａ，ｂがそれぞれ左側機能部材３０の上端部３０ｃおよび右側機能部材４０の上端部４０ｃに対してねじ等により取り付けられて、カウンタ１０の上方で水平に保持されている。第三の機能部材５０は、前後方向の垂直断面が略四角形の管状部材（ポール状部材）の内部に電気系統７４や排気路７６を収容した構造とされている。電気系統７４や給排水流路７２を覆う部材としては、金属板に塗装を施した部材を用いることができるが、合成樹脂を中心とした材質、等でもよい。
【００３０】
排気路保有部材６０は、材質および前後方向の垂直断面の形状が機能部材５０と同様とされ、中空形状の部材の中に排気路７６を収容している。同部材６０は、左端部が壁ＷＡ１に取り付けられて固定されるとともに、右端ｂが機能部材５０の左端部５０ａに対してねじ等により取り付けられて固定されている。
【００３１】
機能部材５０の下面には、照明機器８２とレンジフード８４とがねじ等により取り付けられて固定されている。
本実施形態の照明機器８２は、複数設けられるとともに、いずれも白熱灯とされている。むろん、照明機器としては、光を照射する様々な機器を用いることができ、高輝度ＬＥＤ（発光ダイオード）、電球形の蛍光灯、第一・第二の機能部材を結ぶ方向に長手方向を向けた蛍光灯、等を用いることができる。照明機器は、１基のみでも、３基以上でもよい。同照明機器８２には、ＯＮ・ＯＦＦのためのスイッチ８２ａ等が設けられている。照明機器８２は、機能部材５０に設けられた電気系統７４から電気が供給されて、カウンタ１０上を照らす。
【００３２】
本実施形態のレンジフード８４は、下方に開口した吸気ダクト８４ａの中に吸気用のファン８４ｂが設けられ、電磁調理器とされた加熱調理用機器２４の略鉛直上方に配置されている。同レンジフード８４には、ＯＮ・ＯＦＦのためのスイッチ８４ｃ等も設けられている。ここで、吸気ダクト８４ａは機能部材５０に設けられた排気路７６に接続され、ファン８４ｂには機能部材５０に設けられた電気系統７４から電気を供給されて加熱調理用機器２４上の空気を吸引して排気する。
【００３３】
本実施形態において、給水流路７２ａは、床ＦＬ１から右側機能部材の脚４０ａ内に入り、上方突出部４０ｂから右側機能部材４０外に出て、水栓２２ｂに接続されている。従って、水道水は、この経路を介して水栓２２ｂに供給され、水栓から吐出される。
排水流路７２ｂは、シンク２２ａから右側機能部材の上方突出部４０ｂ内に入り、脚４０ａから右側機能部材４０外に出て、床ＦＬ１内に引き込まれている。従って、排水は、この経路を介して床ＦＬ１から室外へ排出される。
電気系統７４は、床ＦＬ１から左側機能部材の脚３０ａ内に入り、上方突出部３０ｂ内に入る。電気経路の一つは、上方突出部３０ｂから左側機能部材３０外に出て、加熱調理用機器２４に接続されている。また、上方突出部３０ｂから第三の機能部材５０内に入り、第三の機能部材５０外に出てレンジフード８４に接続される電気経路もある。さらに、第三の機能部材５０内から照明機器８２に接続される電気経路もある。従って、これらの電気経路によって、各種機器２４，８４，８２に電気が供給される。
排気路７６は、レンジフード８４から第三の機能部材５０内に入り、排気路保有部材６０から壁ＷＡ１を経て室外へ引き出されている。従って、カウンタ１０上の空気は、この経路を介して室外へ排出される。
【００３４】
本システムキッチン１００を形成するには、以下のようにすればよい。
カウンタ１０については、カウンタ本体１２の所定の位置に各機器２２，２４を組み付けて固定する。
機能部材３０，４０，５０，６０については、給排水流路７２や電気系統７４や排気路７６を覆う中空形状の部材を形成し、当該部材の内に給排水流路７２や電気系統７４や排気路７６を収容する。
次に、上記凹部３０ｄ，１２ｄどうしを嵌め合わせるとともに、上記凹部４０ｄ，１２ｅどうしを嵌め合わせる。すると、機能部材３０，４０は、床上に直接自立してカウンタ１０における相対向する左右の縁部を支持してカウンタ１０を水平に保持し、カウンタ１０の下方にて水平方向に開放された空間ＳＰ１を形成させる。
さらに、機能部材の上端部３０ｃ，４０ｃに第三の機能部材の両端部５０ａ，ｂを取り付け、機能部材５０の左端部５０ａと壁ＷＡ１との間に排気路保有部材６０を取り付けて固定する。
そして、給排水流路７２と電気系統７４と排気路７６を全て接続すると、システムキッチン１００が形成される。
【００３５】
以上の構成により、水廻り用機器や加熱調理用機器が組み込まれたカウンタ１０は、キッチン用機能部材３０，４０のみにより支持され、下方にて水平方向に開放された空間ＳＰ１が形成された状態で水平に保持される。
本発明によると、給排水用の流路、電気系統、ガス系統、排気路がキッチン用機能部材に収容されるので、カウンタの下を水平方向に開放させることができる。また、カウンタがキッチン用機能部材のみで支持されるので、カウンタを支持するために別途脚を設ける必要がない。従って、単に脚でカウンタを支持していた従来と比べ、システムキッチンをすっきりしたシンプルなデザインにさせることが可能となり、構造およびデザインの自由度を向上させ、十分に開放感を得ることが可能となる。特に、細長いポール状とした機能部材３０，４０，５０に給排水用の流路、電気系統、ガス系統、排気路が収容されるので、非常にすっきりしたシンプルなデザインのシステムキッチンを提供することができる。また、キャビネット構造でなくなるので、基本アイテムが少なくなり、システムキッチンの生産性を向上させることが可能となる。
【００３６】
なお、カウンタに対して加熱調理用機器２４を組み込まずに水廻り用機器２２のみを組み込んだシステムキッチンを構成してもよいし、カウンタに対して水廻り用機器２２を組み込まずに加熱調理用機器２４のみを組み込んだシステムキッチンを構成してもよい。
【００３７】
図３に示すように、カウンタ本体１１２に水廻り用機器１２２や加熱調理用機器１２４が組み込まれたカウンタ１１０と、外形が壁状に形成されて床ＦＬ１上に直立した第一の機能部材１３０および第二の機能部材１４０と、外形がポール状に形成されて第一・第二の機能部材１３０，１４０の間に取り付けられた第三の機能部材１５０と、この機能部材１５０の下面に対して第一・第二の機能部材１３０，１４０を結ぶ方向（左右方向）に取り付けられた直管形状の蛍光灯１８２とを備えるシステムキッチン２００を構成してもよい。本変形例において、機能部材１３０，１４０は中空形状に形成され、図示しない給排水流路や電気系統を収容している。機能部材１３０が壁状とされているため、機能部材１３０において相対向する機能部材１４０に対向する面１３２には、調理器具等を引っ掛けて保持するためのフック等を設けることができ、便利である。カウンタ１１０は、キッチン用機能部材１３０，１４０のみにより支持され、下方にて水平方向に開放された空間ＳＰ２が形成された状態で水平に保持される。
第三の機能部材１５０は、右側機能部材１４０の上端から上方に向けて突出した上方突出部材１５２、この上方突出部材の上端と左側機能部材１３０の上端との間に取り付けられてカウンタ１１０の上方で水平に保持された水平保持部材１５４、上方突出部材１５２において相対向する左側機能部材１３０に対向する位置に取り付けられて固定された載置台１５６を備えている。従って、調味料等の小物を載置台１５６上に収容することができ、便利である。
【００３８】
本変形例において、給水流路は、床ＦＬ１から一旦右側機能部材１４０内に入り、この右側機能部材から外に出て、水栓１２２ｂに接続されている。排水流路は、シンク１２２ａから一旦右側機能部材１４０内に入り、この右側機能部材１４０から外に出て、床ＦＬ１内に引き込まれている。電気系統は、床ＦＬ１から左側機能部材１３０内に入る。電気経路の一つは、左側機能部材１３０から外に出て、加熱調理用機器１２４に接続されている。また、左側機能部材１３０から水平保持部材１５４内に入り、照明機器１８２に接続される電気経路もある。以上の構成によっても、上述した有用な効果が得られる。
【００３９】
図４に示すように、第三の機能部材１５０を省略したシステムキッチン２０２を構成してもよい。本変形例では、カウンタ本体１１２の前縁部に、折り畳み動作可能なサブカウンタ１１４を設けている。このサブカウンタ１１４は、上面がカウンタ本体１１２の上面に合わせられて保持される使用位置ＬＯ１と、この使用位置における下面の後縁部を回転動作の回転軸として前縁部１１４ａが下側となるように略９０°回動して保持される収容位置ＬＯ２との間で、回転動作可能とされている。従って、収容位置にあるサブカウンタ１１４を手で引き上げて使用位置に保持させるとカウンタ上の面積を増やすことができ、使用位置にあるサブカウンタ１１４を手で引き下げて収容位置に保持させるとキッチンの空間を増やすことができ、便利である。
【００４０】
図５に示すように、上述したシステムキッチン１００に加えて、コンロ等のガス調理器（加熱調理用機器の一つ）２６と、キッチンにガスを供給するためのガス系統７８とを備えるシステムキッチン１０２を構成してもよい。本変形例では、カウンタ本体１２にガス調理器２６を取り付けるためのガス調理器用開口部１２ｆを形成し、このガス調理器用開口部にガス調理器２６を取り付けて固定することにより、水廻り用機器２２および加熱調理用機器２４，２６を組み込んだカウンタ１０を形成している。右側機能部材４０には、給排水流路７２の他に、ガス管７８ａやコネクタ７８ｂ等からなるガス系統７８も収容している。ガス系統７８は、床ＦＬ１から右側機能部材の脚４０ａ内に入り、上方突出部４０ｂから右側機能部材４０外に出て、ガス調理器２６に接続されている。従って、ガスは、この経路を介してガス調理器２６に供給される。
【００４１】
本変形例では、吸気ダクト８４ａ内で左方向（水平方向）に空気を吸引する吸気用のファン１８４ｂを設けたレンジフード１８４を用いている。左側機能部材３０には、電気系統７４の他に、排気路７６も収容している。排気路７６は、レンジフード１８４から左側機能部材３０に入り、この左側機能部材３０から第三の機能部材５０内に入り、排気路保有部材６０から壁ＷＡ１を経て室外へ引き出されている。従って、電磁調理器２４上を中心としたカウンタ１０上の空気は、この経路を介して室外へ排出される。
また、本変形例では、右側機能部材４０において相対向する左側機能部材３０に対向する位置に第二のレンジフード１８４’も設けている。右側機能部材４０には、上記電気系統７４や上記ガス系統７８の他に、レンジフード１８４’用の排気路７６も収容している。レンジフード１８４’用の排気路７６は、レンジフード１８４’から右側機能部材４０に入り、この右側機能部材から第三の機能部材５０内に入り、排気路保有部材６０から壁ＷＡ１を経て室外へ引き出されている。従って、ガス調理器２６上を中心としたカウンタ１０上の空気は、この経路を介して室外へ排出される。また、左側機能部材の上方突出部３０ｂから第三の機能部材５０内に入り、第三の機能部材５０から右側機能部材の上方突出部４０ｂ内に入り、右側機能部材４０外に出てレンジフード１８４’に接続される電気経路もある。
設置環境によっては、例えばガス系統と電気系統とを並行して設けたくない場合もありうる。このような場合、相対向する機能部材３０，４０どうしを繋ぐ第三の機能部材５０内に電気系統を通せば床上に直接自立する一方の機能部材から他方の機能部材へ電気経路を接続することができるので、電気系統が外部に露出しない。従って、すっきりしたシンプルなデザインを容易に確保することができる。
【００４２】
以上説明したように、本変形例では、給排水流路７２、電気系統７４、排気路７６、ガス系統７８がキッチン用機能部材３０，４０に収容されていることになる。
以上の構成によっても、上述した有用な効果が得られる。
なお、給排水流路７２、電気系統７４、排気路７６、ガス系統７８のうちの一部のみをキッチン用機能部材に収容する構成としても、カウンタを支持するために別途脚を設けることなく、システムキッチンをすっきりしたシンプルなデザインにさせることが可能になる等の効果が得られる。
【００４３】
（２）第二の実施形態：
図６は第二の実施形態にかかるシステムキッチン３００の外観を前面側から見て示す斜視図であり、図７は図６のＡ２−Ａ２の位置にてサブカウンタ２１３、キッチン用機能部材２３０を垂直断面にて断面視して示す図である。図８は、本システムキッチン３００を組み立てる様子を模式的に示す上面図である。なお、図６に印した位置関係を基準として、上下前後左右の位置関係を説明する。
本システムキッチン３００は、キッチンルームＫＩ３の中で、床ＦＬ３上に直接自立した単一のキッチン用機能部材２３０、水廻り用の機器２２２が組み込まれて水平に保持される第一のカウンタ２１１、加熱調理用の機器２２４が組み込まれて水平に保持される第二のカウンタ２１２、壁状のキッチン用機能部材２３０の自由端２３０ｂに取り付けられて固定されたサブカウンタ２１３、キッチン用機能部材２３０においてカウンタ２１１，２１２が取り付けられた前面２３０ｃとは反対側の後面２３０ｄに取り付けられて固定されたサブカウンタ（縁台）２１４、等を備えている。
本発明のキッチン用機能部材は、外形が壁状に形成されて床上に直立し、給水用流路、電気系統、ガス系統、および、排気路、の中から選ばれる一種以上を収容するとともに、周囲にカウンタやサブカウンタを取り付けて支持する。本実施形態のカウンタ２１１，２１２とサブカウンタ２１３，３１４とは、カウンタやサブカウンタを支持する専用の脚を用いず、壁状のキッチン用機能部材２３０のみにより支持されている。本キッチン用機能部材２３０は、各種機能を集約させたコアユニットともいえるし、各種機能を集約させたパーティションともいえる。
【００４４】
本実施形態のキッチン用機能部材２３０は、給水流路２７２ａや排水流路２７２ｂからなる給排水流路２７２と、電気ケーブル２７４ａやコネクタ２７４ｂからなる電気系統２７４とを収容している。むろん、キッチン用機能部材２３０に、ガス系統や排気路を収容するようにしてもよい。機器２２２，２２４が組み込まれたカウンタ２１１，２１２は、下方にて（左右方向）水平方向に開放された空間ＳＰ３が形成された状態で、キッチン用機能部材２３０のみにより支持されている。
【００４５】
第一のカウンタ２１１は、開口部を有する平板状に形成されたカウンタ本体２１１ａと、排水用の機器からなる水廻り用機器２２２とを備えている。水廻り用機器２２２は、シンク２２２ａを備え、カウンタ本体２１１ａの開口部の下側に取り付けられて固定されている。シンク２２２ａは、キッチン用機能部材２３０に設けられた排水流路２７２ｂに接続されている。一方、キッチン用機能部材２３０に取り付けられた水栓２３２ａは、給水用の機器として、当該キッチン用機能部材２３０に設けられた給水流路２７２ａに接続されている。シンク２２２ａは、水栓２３２ａから吐出される水道水を受け入れて排水可能である。従って、カウンタ２１１には、キッチン用機能部材２３０に取り付けられた給水用の機器から供給される水を受け入れて排水可能な排水用の機器が組み込まれていることになる。
第二のカウンタ２１２は、開口部を有する平板状に形成されたカウンタ本体２１２ａと、電磁調理器とされた加熱調理用機器２２４とを備えている。加熱調理用機器２２４は、カウンタ本体２１２ａの開口部に取り付けられて固定されている。同加熱調理用機器２２４は、キッチン用機能部材２３０に設けられた電気系統７４に接続されている。
サブカウンタ２１３は、水廻り用機器や加熱調理用機器が組み込まれておらず、食事等をするためにシステムキッチン３００のコーナーテーブルとして用いられる。
サブカウンタ２１４も、水廻り用機器や加熱調理用機器が組み込まれておらず、食事等をするためのテーブルとして用いられる。
【００４６】
壁状のキッチン用機能部材２３０は、水平方向において長手方向となる両端２３０ａ，ｂのうちの一端（固定端２３０ａ）がキッチンルームＫＩ３の壁ＷＡ３に固定され、当該キッチンルームの壁ＷＡ３から同固定端２３０ａとは反対側の他端（自由端２３０ｂ）に向けて延出し、長手方向に沿って両側に鉛直面２３０ｃ，ｄが形成されている。同キッチン用機能部材２３０は、両鉛直面２３０ｃ，ｄのうちの一方の前面２３０ｃでカウンタ２１１，２１２を支持するとともに、当該前面２３０ｃとは反対側の後面２３０ｄのみでサブカウンタ２１４を水平に支持している。
【００４７】
図８に示すように、キッチン用機能部材２３０の側面には、カウンタ２１１，２１２およびサブカウンタ２１３，２１４を水平方向に引き抜き可能に挿入して取り付け可能とした溝形状の保持部２３４ａ〜ｄを形成してある。カウンタ２１１，２１２およびサブカウンタ２１３，２１４の上面にはキッチン用機能部材２３０側の縁部において下方に向かって凹んだ凹部２１１ｃ，２１２ｃ，２１３ｃ，２１４ｃが形成してあるとともに、各凹部２１１ｃ，２１２ｃ，２１３ｃ，２１４ｃに対して上方から挿入して係止可能な保持機構２３６ａ〜ｄを保持部２３４ａ〜ｄに形成している。各保持機構２３６ａ〜ｄは、例えば、下端が略半球状に形成されて実際に凹部２１１ｃ，２１２ｃ，２１３ｃ，２１４ｃに挿入する挿入子（例えば挿入子２３４ｃ１）と、この挿入子を上方から下方に向けて付勢するつる巻きばね（例えばつる巻きばね２３４ｃ２）とを備える構成とされる。カウンタ２１１，２１２やサブカウンタ２１３，２１４を保持部２３４ａ〜ｄに挿入していくと、挿入子は一旦ばねの付勢力に抗して上方に押され、凹部２１１ｃ，２１２ｃ，２１３ｃ，２１４ｃの位置になった時、ばねの付勢力により下方に押されて当該凹部に挿入する。また、この状態でカウンタ２１１，２１２やサブカウンタ２１３，２１４に対して水平方向に力が加えられると、ばねの付勢力に抗して挿入子が凹部２１１ｃ，２１２ｃ，２１３ｃ，２１４ｃから上方へ抜けるので、カウンタ２１１，２１２やサブカウンタ２１３，２１４を引き抜くことができる。
以上のようにして、保持部２３４ａ，ｂ，ｄに対してカウンタ２１１，２１２やサブカウンタ２１４が前後方向（水平方向）に挿入されて取り付けられて固定され、保持部２３４ｃに対してサブカウンタ２１３が左右方向（水平方向）に挿入されて取り付けられて固定される。
なお、カウンタ２１１，２１２やサブカウンタ２１４を、キッチン用機能部材２３０に対して左右方向、上下方向、斜め方向に引き抜き可能に挿入して取り付ける構成にしてもよい。また、サブカウンタ２１３を、キッチン用機能部材２３０に対して前後方向上下方向、斜め方向に引き抜き可能に挿入して取り付ける構成にしてもよい。
【００４８】
以上の構成により、水廻り用機器や加熱調理用機器が組み込まれたカウンタ２１１，２１２は、キッチン用機能部材２３０のみにより支持され、下方にて水平方向に開放された空間ＳＰ３が形成された状態で水平に保持される。
本実施形態によっても、給排水用の流路、電気系統、ガス系統、排気路がキッチン用機能部材に収容されるので、カウンタの下を水平方向に開放させることができる。また、カウンタがキッチン用機能部材のみで支持されるので、カウンタを支持するために別途脚を設ける必要がない。従って、単に脚でカウンタを支持していた従来と比べ、システムキッチンをすっきりしたシンプルなデザインにさせることが可能となり、構造およびデザインの自由度を向上させ、十分に開放感を得ることが可能となる。特に、単一の壁状キッチン用機能部材に給排水用の流路、電気系統、ガス系統、排気路が収容されるので、複数の壁状部材でカウンタを水平に保持する場合と比べてシステムキッチンをよりすっきりしたシンプルなデザインにさせることができる。また、キャビネット構造でなくなるので、基本アイテムが少なくなり、システムキッチンの生産性を向上させることが可能となる。
さらに、キッチン用機能部材がキッチンルームの壁で支えられ、また、当該キッチン用機能部材を隔ててカウンタとバランスがとられるよう反対側に縁台が設けられるので、カウンタの下方を水平方向に開放したシステムキッチンを容易に形成することができる。また、カウンタを交換しても給水用の機器をそのまま用いることができる。
【００４９】
その結果、図９に示すシステムキッチン３０２のように、形状の異なるカウンタ２１１’，２１２’についても保持部２３４ａ，ｂに対して引き抜き可能に挿入して取り付け可能な形状に形成しておけば、保持部２３４ａに形状の異なる複数のカウンタ２１１，２１１’を選択的に挿入して取り付けることができ、保持部２３４ｂに形状の異なる複数のカウンタ２１２，２１２’を選択的に挿入して取り付けることができる。サブカウンタ２１３，２１４についても、それぞれ形状の異なる複数のサブカウンタを選択的に挿入して取り付けることができる。以上の構成により、容易にシステムキッチンのデザインを変えることができるので、利便性を向上させることができる。
なお、カウンタに対して水廻り用機器のみを組み込んだシステムキッチンを構成してもよいし、カウンタに対して加熱調理用機器のみを組み込んだシステムキッチンを構成してもよい。また、水廻り用機器と電磁調理器とガス調理器とをカウンタに組み込んで給排水流路、電気系統、排気路、ガス系統の全てをキッチン用機能部材に収容してもよいし、給排水流路、電気系統、排気路、ガス系統のうちの一部のみをキッチン用機能部材に収容する構成としてもよい。
【００５０】
図１０に示すように、外形が壁状に形成されて床上に直立するキッチン用機能部材の外側面にサブカウンタ３１４を取り付けて固定したシステムキッチン４００を構成してもよい。本システムキッチン４００は、それぞれ床上に直接自立してカウンタ３１０における相対向する縁部を支持する左側機能部材（第一の機能部材）３３０および右側機能部材（第二の機能部材）３４０、カウンタ本体３１２に水廻り用機器３２２と加熱調理用機器３２４とが組み込まれてキッチン用機能部材３３０，３４０のみにより支持されて水平に保持されたカウンタ３１０、右側機能部材３４０に支持されて水平に保持された平板状のサブカウンタ３１４、を備えている。
【００５１】
左側機能部材３３０は、外形が壁状に形成されて床上に直立し、上側縁部で平板状のカウンタ本体３１２の左側縁部を支持している。右側機能部材３４０は、外形が壁状に形成されて水平方向の長手方向を前後方向に向けて床上に直立してカウンタ本体３１２の右側縁部を支持する第一の壁状支持部材３４２と、外形が壁状に形成されて水平方向の長手方向を左右方向に向けて床上に直立してカウンタ本体３１２の後側縁部を支持する第二の壁状支持部材３４４と、壁状支持部材３４２の後側縁部と壁状支持部材３４４の右側縁部とに取り付けられて床上に直立して両壁状支持部材３４２，３４４を互いに固定するポール状部材３４６とを備え、水平面が略Ｌ字状に形成されている。サブカウンタ３１４は、壁状支持部材３４２の右側側面から、ポール状部材３４６の右側側面および後側側面を経て、壁状支持部材３４４の後側側面にかけて、右側機能部材３４０の外側面に取り付けられて固定されている。
左側機能部材３３０は、中空形状の部材の中に給排水流路を収容している。水廻り用機器のシンク３２２ａは、左側機能部材３３０に収容された排水流路に接続されている。水廻り用機器の水栓３２２ｂは、左側機能部材３３０に収容された給水流路に接続されている。右側機能部材３４０は、中空形状の部材の中に電気系統を収容している。加熱調理用機器３２４は、右側機能部材３４０に収容された電気系統に接続されている。
【００５２】
以上の構成により、カウンタ３１０は、キッチン用機能部材３３０，３４０のみにより支持され、下方にて水平方向に開放された空間ＳＰ４が形成された状態で水平に保持される。
本実施形態によっても、システムキッチンをすっきりしたシンプルなデザインにさせることが可能となり、構造およびデザインの自由度を向上させ、十分に開放感を得ることが可能となる。また、箱組み構造でなくなるので、基本アイテムが少なくなり、システムキッチンの生産性を向上させることが可能となる。
さらに、水平面が略Ｌ字状の壁状機能部材の外側面にサブカウンタが取り付けられているので、このサブカウンタを食事台等として使用することができ、便利である。
【００５３】
（３）第三の実施形態：
図１１は、第三の実施形態にかかるシステムキッチン５００の外観を前面側から見て示す斜視図である。
本システムキッチン５００は、キッチンルームＫＩ５の中で、床ＦＬ５上に直接自立したキッチン用機能部材４３０，４４０、カウンタ本体４１２に水廻り用の機器４２２と加熱調理用の機器４２４とが組み込まれて水平に保持されるカウンタ４１０、第一・第二の棚状部材を互いに固定する連結部材４５０，４６０、等を備えている。
本発明のキッチン用機能部材は、棚状に形成されて床上に直接自立し、給水用流路、電気系統、ガス系統、および、排気路、の中から選ばれる一種以上を収容するとともに、カウンタを水平に保持させながら支持する。本実施形態では、第一・第二の棚状部材４３０，４４０が、それぞれ棚状に形成されて床上に直接自立し、カウンタ４１０における相対向する左右の縁部を支持している。そして、電気系統が第一の棚状部材４３０に収容され、給水用流路が第二の棚状部材４４０に収容されている。本実施形態のカウンタ４１０は、カウンタを支持する専用の脚を用いず、棚状のキッチン用機能部材４３０，４４０のみにより支持されている。
【００５４】
棚状部材４３０，４４０は、それぞれ下端部４３０ａ，４４０ａから上端部４３０ｃ，４４０ｃまで上方に向かって直立し、上下にわたって複数段とされた棚４３２，４４２が設けられている。本実施形態では、棚状部材４３０をキッチンルームＫＩ５の壁ＷＡ５に固定している。各棚状部材４３０，４４０には、長手方向を上下方向に向けた中空形状を形成してあり、当該中空形状の中に電気系統や給排水流路が収容されている。本実施形態では、水廻り用機器のシンク４２２ａを棚状部材４４０に収容された排水流路に接続し、水廻り用機器の水栓４２２ｂを棚状部材４４０に収容された給水流路に接続している。また、加熱調理用機器４２４は、棚状部材４３０に収容された電気系統に接続されている。
連結部材４５０，４６０は、両棚状部材４３０，４４０を結ぶ左右方向に長手方向を向けて水平に配置され、棚状部材４３０，４４０の間に取り付けられて当該棚状部材４３０，４４０を互いに固定している。これにより、カウンタ４１０が強固に支持され、水平状態に保持される。
【００５５】
連結部材の一つである第三の棚状部材４５０は、両棚状部材４３０，４４０を結ぶ左右方向を長手方向として棚状に形成され、同長手方向の左右両端４５０ａ，ｂがそれぞれ棚状部材４３０，４４０の上端部４３０ｃ，４４０ｃに取り付けられてカウンタ４１０の上方で水平に保持されている。本発明の第三の棚状部材は、給排水流路、電気系統、ガス系統、および、排気路、の中から選ばれる一種以上を収容した棚状部材とされている。本実施形態では、電気系統が第三の棚状部材４５０に収容され、この第三の棚状部材４５０内に組み込んだレンジフード４８４や照明機器に対して電気を供給している。棚状部材４５０には、長手方向を左右方向に向けた中空形状を形成してあり、当該中空形状の中に電気系統が収容されている。
【００５６】
連結部材の一つである連結板状部材４６０は、両棚状部材４３０，４４０を結ぶ左右方向を長手方向として板状に形成され、同長手方向の両端部４６０ａ，ｂがそれぞれ棚状部材４３０，４４０の下部に取り付けられてカウンタ４１０の下方で水平に保持されている。本実施形態では、連結板状部材４６０が上下にわたって複数段（２段）とされている。
カウンタ４１０の上下に連結部材を設けたことにより、カウンタ４１０が非常に強固に支持され、水平状態に保持される。
【００５７】
以上の構成により、水廻り用機器や加熱調理用機器が組み込まれたカウンタ４１０は、棚状部材４３０，４４０のみにより支持され、下方にて前後方向（水平方向）に開放された空間ＳＰ５が形成された状態で水平に保持される。
本実施形態によっても、給排水用の流路、電気系統、ガス系統、排気路がキッチン用機能部材に収容されるので、カウンタの下を水平方向に開放させることができる。また、カウンタが棚状部材のみで支持されるので、カウンタを支持するために別途脚を設ける必要がない。従って、単に脚でカウンタを支持していた従来と比べ、システムキッチンをすっきりしたシンプルなデザインにさせることが可能となり、構造およびデザインの自由度を向上させ、十分に開放感を得ることが可能となる。また、キャビネット構造でなくなるので、基本アイテムが少なくなり、システムキッチンの生産性を向上させることが可能となる。
なお、カウンタに対して水廻り用機器のみを組み込んだシステムキッチンを構成してもよいし、カウンタに対して加熱調理用機器のみを組み込んだシステムキッチンを構成してもよい。また、水廻り用機器と電磁調理器とガス調理器とをカウンタに組み込んで給排水流路、電気系統、排気路、ガス系統の全てをキッチン用機能部材に収容してもよいし、給排水流路、電気系統、排気路、ガス系統のうちの一部のみをキッチン用機能部材に収容する構成としてもよい。
【００５８】
（４）その他変形例：
上述した各種実施形態において、キッチン用機能部材に対して上下方向の位置を変更可能にカウンタを取り付けて支持する構成とすることができる。
【００５９】
第一の実施形態で述べたシステムキッチン１００（図１）の場合、図１２に示すように、機能部材３０，４０に対して凹部３０ｄ，４０ｄとは上下方向に異なる位置にも同形状の凹部３０ｅ，４０ｅを形成してもよい。すると、図１３に示すように、機能部材３０，４０に支持されるカウンタ１０の上下方向の位置を変更することが可能なシステムキッチン１００’を提供することができる。これらの図において、凹部３０ｄ，４０ｄの下側において相対向する位置に左右方向外側へ凹んだ形状の凹部３０ｅ，４０ｅが形成されている。当該凹部３０ｅ，４０ｅは、保持されるカウンタ１０の下部と床との間に所定の開放空間が形成されるように、カウンタ１０の下部が床から所定距離離される高さとされている。なお、カウンタ本体１２には、左右の縁部の略中間部において左右方向内側へ凹んだ形状の凹部１２ｄ，ｅが形成されている。カウンタ本体の左側凹部１２ｄと左側機能部材の下側凹部３０ｅとを嵌め合わせ、カウンタ本体の右側凹部１２ｅと右側機能部材の下側凹部４０ｅとを嵌め合わせると、機能部材３０，４０はそれぞれ倒れないように床上に直接自立してカウンタ１０における相対向する左右の縁部を支持する。すると、カウンタ１０は、下方にて水平方向に開放された空間ＳＰ１’が形成されるように水平に保持される。
なお、カウンタを支持していない上側凹部３０ｄ，４０ｄを目隠し部材３２，４２で塞ぐと、良好なデザインのシステムキッチンが得られるので、好適である。キッチン用機能部材３０，４０の上側凹部３０ｄ，４０ｄでカウンタ１０を支持する場合には、下側凹部３０ｅ，４０ｅを同じ目隠し部材３２，４２で塞ぐことができるので、便利である。
【００６０】
以上の構成により、カウンタの上下位置を容易に所望の位置に変更することができるので、利便性が向上するとともに、基本アイテムが少なくなり、システムキッチンの生産性を向上させることが可能となる。
第二の実施形態で述べたシステムキッチン３００（図６）の場合、外形が壁状のキッチン用機能部材２３０の側面に対して、カウンタ２１１，２１２を水平方向に引き抜き可能に挿入して取り付け可能とした溝形状の保持部２３４ａ，ｂをカウンタ毎に上下方向において異なる複数の位置に形成してもよい。また、キッチン用機能部材２３０の側面に対して、サブカウンタ２１３，２１４を水平方向に引き抜き可能に挿入して取り付け可能とした溝形状の保持部２３４ｃ，ｄをサブカウンタ毎に上下方向において異なる複数の位置に形成してもよい。すると、キッチン用機能部材２３０に支持されるカウンタ２１１，２１２やサブカウンタ２１３，２１４の上下方向の位置を変更することが可能になる。そして、カウンタやサブカウンタを支持していない溝形状の保持部を目隠し部材で塞ぐと、良好なデザインのシステムキッチンが得られるので、好適である。
第三の実施形態で述べたシステムキッチンでも、同様にしてキッチン用機能部材に対して上下方向の位置を変更可能にカウンタを取り付けて支持することができる。
【００６１】
なお、カウンタ本体１２や機能部材３０，４０，５０等の素材は特に限定されるものではなく、例えば、カウンタ本体１２等を人造大理石、或いはステンレス等の金属により構成したり、また、機能部材３０，４０，５０等の主要部を木質素材、或いはステンレス等の金属により構成することができる。
以上説明したように、本発明によると、種々の態様により、有用なシステムキッチンを提供することが可能となる。
【図面の簡単な説明】
【００６２】
【図１】第一の実施形態のシステムキッチンを前面側から見て示す斜視図。
【図２】図１のＡ１−Ａ１の位置にてカウンタ、機能部材、各種機器を垂直断面にて断面視して示す図。
【図３】変形例のシステムキッチンを前面側から見て示す斜視図。
【図４】別の変形例のシステムキッチンを前面側から見て示す斜視図。
【図５】図１のＡ１−Ａ１の位置にてカウンタ、機能部材、各種機器を垂直断面にて断面視して別の変形例のシステムキッチンを示す図。
【図６】第二の実施形態のシステムキッチンを前面側から見て示す斜視図。
【図７】図６のＡ２−Ａ２の位置にてカウンタ、機能部材を垂直断面にて断面視して示す図。
【図８】本システムキッチンを組み立てる様子を模式的に示す上面図。
【図９】変形例のシステムキッチンを前面側から見て示す斜視図。
【図１０】別の変形例のシステムキッチンを前面側から見て示す斜視図。
【図１１】第三の実施形態のシステムキッチンを見て示す斜視図。
【図１２】変形例において第一・第二の機能部材を前面側から見て示す斜視図。
【図１３】変形例のシステムキッチンを前面側から見て示す斜視図。
【符号の説明】
【００６３】
１０，１１０，２１１，２１２，３１０，４１０…カウンタ、
１２，１１２，２１１ａ，２１２ａ，３１２，４１２…カウンタ本体、
１２ａ〜ｃ，ｆ…開口部、１２ｄ，ｅ…凹部、
２２，１２２，２２２，３２２，４２２…水廻り用の機器、
２２ａ，１２２ａ，２２２ａ，３２２ａ，４２２ａ…シンク、
２２ｂ，１２２ｂ，３２２ｂ，４２２ｂ…水栓、
２４，２６，１２４，２２４，３２４，４２４…加熱調理用の機器、
２４ａ…加熱調理器、２４ｂ…操作つまみ、
３０，１３０，３３０…第一の機能部材（キッチン用機能部材の一つ）、
３０ａ…脚部、３０ｂ…上方突出部、３０ｃ…上端部、３０ｄ，ｅ…凹部、
３２，４２…目隠し部材、
４０，１４０，３４０…第二の機能部材（キッチン用機能部材の一つ）、
４０ａ…脚部、４０ｂ…上方突出部、４０ｃ…上端部、４０ｄ，ｅ…凹部、
５０，１５０…第三の機能部材、５０ａ，ｂ…端部、
６０…排気路保有部材、
７２，２７２…給排水流路、
７２ａ，２７２ａ…給水流路、７２ｂ，２７２ｂ…排水流路、
７４，２７４…電気系統、
７４ａ，２７４ａ…電気ケーブル、７４ｂ，２７４ｂ…コネクタ、
７６…排気路、
７８…ガス系統、７８ａ…ガス管、７８ｂ…コネクタ、
８２，１８２…照明機器、８２ａ…スイッチ、
８４，１８４，１８４’，４８４…レンジフード、
８４ａ…吸気ダクト、８４ｂ，１８４ｂ…ファン、８４ｃ…スイッチ、
１００，１０２，２００，２０２，３００，３０２，４００，５００…システムキッチン、
１１４，３１４…サブカウンタ、
２３０…キッチン用機能部材、
２３０ａ…固定端、２３０ｂ…自由端、
２１３…サブカウンタ、
２１４…サブカウンタ（縁台）、
２３２ａ…水栓、
２３４ａ〜ｄ…保持部、
２３６ａ〜ｄ…保持機構、
４３０…第一の棚状部材、
４４０…第二の棚状部材、
４５０…第三の棚状部材（連結部材の一つ）、
４６０…連結板状部材（連結部材の一つ）、
ＦＬ１，ＦＬ３，ＦＬ５…床、
ＫＩ１，ＫＩ３，ＫＩ５…キッチンルーム、
ＳＰ１，ＳＰ１’，ＳＰ２，ＳＰ３，ＳＰ４，ＳＰ５…水平方向に開放された空間、
ＷＡ１，ＷＡ３，ＷＡ５…壁、
【図１】
2006223644.tif 000003
【図２】
2006223644.tif 000004
【図３】
2006223644.tif 000005
【図４】
2006223644.tif 000006
【図５】
2006223644.tif 000007
【図６】
2006223644.tif 000008
【図７】
2006223644.tif 000009
【図８】
2006223644.tif 000010
【図９】
2006223644.tif 000011
【図１０】
2006223644.tif 000012
【図１１】
2006223644.tif 000013
【図１２】
2006223644.tif 000014
【図１３】
2006223644.tif 000015